(57)【特許請求の範囲】
【請求項１】
次の１〜１２の構成を備えたことを特徴する文字類作成用紙。
１．用紙に、縦横比が黄金比である黄金矩形の輪郭線（２１）が表示され、
２．前記輪郭線（２１）内に、その一方の短辺（２１ａ）を一辺とする第１の正方形（２２ａ）と、他方の短辺（２１ｂ）を長辺とする第１の黄金矩形（２２ｂ）に区画する第１区画線（３０ａ）が前記輪郭線（２１）の短辺と平行に表示され、
３．前記第１の正方形（２２ａ）内に、前記輪郭線（２１）の短辺（２１ａ）を一辺とする第２の黄金矩形（２２ｃ）と、第１の黄金矩形（２２ｂ）と第２の黄金矩形（２２ｃ）の間に空間（４０）を形成する第２区画線（３０ｂ）が前記輪郭線（２１）の短辺（２１ａ、２１ｂ）と平行に表示され、
４．前記第１、第２の黄金矩形（２２ｂ、２２ｃ）の夫々内に、夫々の黄金矩形（２２ｂ、２２ｃ）の一方の短辺（２１ｃ、２１ｄ）を一辺とする第３の正方形（２２ｄ、２２ｅ）と、夫々の正方形（２２ｄ、２２ｅ）の一辺を長辺とする第３の黄金矩形（２３ｆ、２３ｇ）とに区画する第３区画線（３１ａ、３１ｂ）が前記第１、第２の黄金矩形（２２ｂ、２２ｃ）の他方の短辺（２１ｅ、２１ｆ）と平行に表示され、
５．前記第３の正方形（２２ｄ、２２ｅ）の夫々内に、それら正方形（２２ｄ、２２ｅ）の底辺（２１ｃ、２１ｄ）を長辺とする第４の黄金矩形（２３ｈ、２３ｉ）を形成する第４区画線（３１ｃ、３１ｄ）が前記第３区画線（３１ａ、３１ｂ）と平行に表示され、
６．前記空間（４０）内に前記第３区画線（３１ａ、３１ｂ）間を結ぶ連結線（３３ａ）と前記第４区画線（３１ｃ、３１ｄ）間を結ぶ連結線（３３ｂ）が、前記空間（４０）の短辺（４０ａ、４０ｂ）と平行に表示され、
７．前記第３の黄金矩形（２３ｆ、２３ｇ）と、第４の黄金矩形（２３ｈ、２３ｉ）の夫々内に、それら黄金矩形（２３ｆ〜２３ｉ）の外側短辺（２１ｇ〜２１ｊ）の夫々を一辺とする正方形（６０ａ〜６０ｄ）と、縦横比が黄金比である黄金矩形（２４ａ〜２４ｄ）とに区画する区画線（３２ａ〜３２ｄ）が前記第１区画線（３０ａ）、第２区画線（３０ｂ）と平行に表示され、
８．前記正方形（６０ａ〜６０ｄ）の夫々内に、前記第３の黄金矩形（２３ｆ、２３ｇ）と、第４の黄金矩形（２３ｈ、２３ｉ）の内側辺（２１ｋ、２１ｍ、２１ｎ、２１ｐ）を一辺とする正方形（７０ａ〜７０ｄ）と、縦横比が黄金比である第６の黄金矩形（２４ｅ〜２４ｈ）とに区画する区画線（３２ｅ〜３２ｈ）が、前記正方形（７０ａ〜７０ｄ）の外側縦辺（２１ｇ、２１ｈ、２１ｉ、２１ｊ）と平行に表示され、
９．前記対向する区画線（３２ａ）と区画線（３２ｃ）を連結する連結線（３４ａ）、対向する区画線（３２ｅ）と区画線（３２ｇ）を連結する連結線（３４ｂ）、対向する区画線（３２ｂ）と区画線（３２ｄ）を連結する連結線（３４ｃ）、対向する区画線（３２ｆ）と区画線（３２ｈ）を連結する連結線（３４ｄ）が表示され、
１０．前記１〜９に記載の黄金矩形の輪郭線（２１）及び輪郭線（２１）内に表示された区画線（３０ａ、３０ｂ、３１ａ〜３１ｄ、３２ａ〜３２ｈ）及び連結線（３４ａ〜３４ｄ）により描線パターン（２０）が形成され、
１１．前記描線パターン（２０）を基本パターンとし、その基本パターン（２０）が一枚の用紙に２以上表示され、
１２．前記描線パターン（２０）の前記輪郭線、区画線、連結線の一部をなぞって直線表示し又は／及び輪郭線、区画線、連結線の間に直線又は曲線を表示することにより、前記用紙に文字類を作成可能とした。
【発明の詳細な説明】
【技術分野】
【０００１】
本発明は、漢字、平仮名、片仮名、英字、数字といった各種文字、記号、符号、図案、ロゴマーク等（以下「文字類」と記す。）の作成に使用される文字類作成用紙に関するものである。
【背景技術】
【０００２】
従来、四角形の縦横比として最も美しいとされる黄金比（１：１．６１８）は広く知られており、例えば、名刺やたばこの箱等の縦横比はこの黄金比に設計されている。
【発明の開示】
【発明が解決しようとする課題】
【０００３】
文字、記号、図案、ロゴマーク等の表現方法には各種手法があるが黄金比を用いた文字、記号、符号、図案、ロゴマーク等はなかった。
【課題を解決するための手段】
【０００４】
本発明は、黄金比を効果的に使用して、これまで存在しなった形態、美感、イメージ等の文字類を作成可能な文字類作成用紙を提供するものである。
【０００５】
【０００６】
【０００７】
【０００８】
本件発明の文字類作成用紙は、次の１〜１２の構成を備えたものである。
１．用紙に、縦横比が黄金比である黄金矩形の輪郭線２１が表示され、
２．前記輪郭線２１内に、その一方の短辺２１ａを一辺とする第１の正方形２２ａと、他方の短辺２１ｂを長辺とする第１の黄金矩形２２ｂに区画する第１区画線３０ａが前記輪郭線２１の短辺と平行に表示され、
３．前記第１の正方形２２ａ内に、前記輪郭線２１の短辺２１ａを一辺とする第２の黄金矩形２２ｃと、第１の黄金矩形２２ｂと第２の黄金矩形２２ｃの間に空間４０を形成する第２区画線３０ｂが前記輪郭線２１の短辺２１ａ、２１ｂと平行に表示され、
４．前記第１、第２の黄金矩形２２ｂ、２２ｃの夫々内に、夫々の黄金矩形２２ｂ、２２ｃの一方の短辺２１ｃ、２１ｄを一辺とする第３の正方形２２ｄ、２２ｅと、夫々の正方形２２ｄ、２２ｅの一辺を長辺とする第３の黄金矩形２３ｆ、２３ｇとに区画する第３区画線３１ａ、３１ｂが前記第１、第２の黄金矩形２２ｂ、２２ｃの他方の短辺２１ｅ、２１ｆと平行に表示され、
５．前記第３の正方形２２ｄ、２２ｅの夫々内に、それら正方形２２ｄ、２２ｅの底辺２１ｃ、２１ｄを長辺とする第４の黄金矩形２３ｈ、２３ｉを形成する第４区画線３１ｃ、３１ｄが前記第３区画線３１ａ、３１ｂと平行に表示され、
６．前記空間４０内に前記第３区画線３１ａ、３１ｂ間を結ぶ連結線３３ａと前記第４区画線３１ｃ、３１ｄ間を結ぶ連結線３３ｂが、前記空間４０の短辺４０ａ、４０ｂと平行に表示され、
７．前記第３の黄金矩形２３ｆ、２３ｇと、第４の黄金矩形２３ｈ、２３ｉの夫々内に、それら黄金矩形２３ｆ〜２３ｉの外側短辺２１ｇ〜２１ｊの夫々を一辺とする正方形６０ａ〜６０ｄと、縦横比が黄金比である黄金矩形２４ａ〜２４ｄとに区画する区画線３２ａ〜３２ｄが前記第１区画線３０ａ、第２区画線３０ｂと平行に表示され、
８．前記正方形６０ａ〜６０ｄの夫々内に、前記第３の黄金矩形２３ｆ、２３ｇと、第４の黄金矩形２３ｈ、２３ｉの内側辺２１ｋ、２１ｍ、２１ｎ、２１ｐを一辺とする正方形７０ａ〜７０ｄと、縦横比が黄金比である第６の黄金矩形（２４ｅ〜２４ｈ）とに区画する区画線３２ｅ〜３２ｈが、前記正方形７０ａ〜７０ｄの外側縦辺２１ｇ、２１ｈ、２１ｉ、２１ｊと平行に表示され、
９．前記対向する区画線３２ａと区画線３２ｃを連結する連結線３４ａ、対向する区画線３２ｅと区画線３２ｇを連結する連結線３４ｂ、対向する区画線３２ｂと区画線３２ｄを連結する連結線３４ｃ、対向する区画線３２ｆと区画線３２ｈを連結する連結線３４ｄが表示され、
１０．前記１〜９に記載の黄金矩形の輪郭線２１及び輪郭線２１内に表示された区画線３０ａ、３０ｂ、３１ａ〜３１ｄ、３２ａ〜３２ｈ及び連結線３４ａ〜３４ｄにより描線パターン２０が形成され、
１１．前記描線パターン２０を基本パターンとし、その基本パターン２０が一枚の用紙に２以上表示され、
１２．前記描線パターン２０の前記輪郭線、区画線、連結線の一部をなぞって直線表示し又は／及び輪郭線、区画線、連結線の間に直線又は曲線を表示することにより、前記用紙に文字類を作成可能とした。
【０００９】
【発明の効果】
【００１０】
本件出願の文字類作成用紙を利用した文字類作成方法は次のような効果がある。
（１）縦横比が黄金比である黄金矩形内にその内部を分割線により正方形と黄金矩形とに分割し、分割された黄金矩形内を分割線により正方形と黄金矩形とに分割し、その繰り返しにより形成される黄金矩形と正方形の輪郭線及び各区画線の一部又は全部によって文字類を作成するので、黄金比の区画を二以上備えた美しく安定した文字類を作成することができる。
（２）一部の区画線を、区画する黄金矩形に隣接する正方形又は黄金矩形内まで延長して表示したり、区画する黄金矩形の途中まで表示したりするので、複雑な文字類でも作成でき、バリエーションに富んだ文字を作成することもできる。
（３）黄金矩形内に区画線とは別に直線や曲線を表示するので、黄金矩形と正方形の輪郭線や区画線だけでは表現しにくい、或いは表現できない文字類を作成することもできる。
（４）区画線で区画された二以上の黄金矩形と正方形の全部によって又は一部を削除して文字類を作成するので、黄金矩形や正方形のブロックの組み合わせで表現された文字類を作成することができる。
【００１１】
本件出願の文字類作成用紙を使用して作成された文字類は、前記各文字類作成方法を使用して作成されているので、黄金比を効果的に利用して、これまで存在しなかった形態、美感、イメージ等を表示することができる。
【００１２】
本件出願の文字類作成用紙は、黄金矩形の輪郭線及び黄金矩形内部の区画線及び延長線を描線パターンとして用紙上に表示し、その描線パターンに基づいて直線や曲線や図形を表示して文字類を作成可能としたので、一定のパターンの下に統一され、美しく安定した文字類を容易に作成できるようになる。
【発明を実施するための最良の形態】
【００１３】
（文字類作成方法及びその方法で作成される文字類の参考例）
参考例として、図１（ａ）〜（ｆ）、図２（ａ）〜（ｅ）に示す文字類作成方法及びその方法で作成される文字類は、縦横比が黄金比（１：１．６１８）である四角形（以下「黄金矩形」）１内を区画線で区画して各種文字、記号、図案、ロゴマーク等の文字類を作成する方法である。この文字類作成方法は「ある黄金矩形において短辺を一辺とする正方形を取り除くと残る部分は黄金矩形になる」という黄金矩形独自の性質を利用して文字類を作成する方法である。また、本件出願の文字類は、前記文字類作成方法によってさくせいされた文字類（漢字、平仮名、片仮名、英字、数字といった各種文字、記号、符号、図案、ロゴマーク等）である。
【００１４】
（文字作成参考例１）
文字作成の第１の参考例として、「吉田」の文字を作成する場合を図１（ａ）〜（ｆ）、図２（ａ）〜（ｅ）に基づいて説明する。なお、説明の都合上、図中の正方形部分には真円を破線で表示して正方形を判別し易くしてあるが、この真円は実際には表示しないものとする。
（１）基本（区画の元）となる黄金矩形１の縦横比は１：１．６１８の黄金比となっている（図１ａ）。
（２）前記黄金矩形１内に区画線２を縦に表示して黄金矩形１を左右に区画し（図１ｂ）、左側を基本の黄金矩形１の短辺を一辺とする正方形３に、右側を縦長の黄金矩形４にする。
（３）先に区画された縦長の黄金矩形４内に区画線５を横に表示して黄金矩形４を上下に区画し（図１ｃ）、下側を黄金矩形４の短辺を一辺とする正方形６に、上側を横長の黄金矩形７にする。
（４）前記区画線５を黄金矩形４の左に隣接する正方形３の左端まで延長して（図１ｄ）、図１（ｃ）の正方形３を上側の四角形８と下側の四角形９に区画する。
（５）前記黄金矩形７内に区画線１０を縦に表示して黄金矩形７を左右に区画し（図１ｅ）、左側を黄金矩形７の短辺を一辺とする正方形１１に、右側を黄金矩形１２にする。
（６）区画線１０を下に隣接する正方形６の下端まで延長する（図１ｆ）。
（７）図１（ｆ）の四角形８内に直線１３を縦に表示して、左側を前記四角形８の短辺を一辺とする正方形１４に、右側を黄金矩形１５とする（図２ａ）。この黄金矩形１５は、前記黄金矩形７（図１ｃ参照）と同じ大きさとなる。
（８）正方形１４内に二本の直線１６、１７を横に表示して正方形１４内を上下に三分割する（図２ｂ）。
（９）直線１６、１７を右に隣接する黄金矩形１５内に延長して上下に三分割する（図２ｃ）。
（１０）直線１３の下部をカット（削除）することにより（図２ｄ）、これまで表示した区画線１３、１６、１７及び下側の四角形９によって黄金矩形１内の左側に「吉」の文字が、黄金矩形４の輪郭線１８（図２ｄ）及び区画線２、５、１０により黄金矩形１内の右側に「田」の文字が制作される。
上記区画線の表示は前記順番に限られず、最終的に図２（ｅ）に示す「吉田」の文字が完成すれば、任意の手順によることができる。
【００１５】
（文字作成参考例２）
文字作成の第２の参考例として、射出成型機をイメージした図案を作成する手順を図３（ａ）〜（ｃ）に基づいて説明する。
（１）図案制作の元となる黄金矩形１内に区画線２、５、１０、及び直線１３、１６、１７を表示して、複数の四角形Ａ〜Ｋを作る（図３ａ）。
（２）図３（ａ）における複数の四角形のうちＡ、Ｄ、Ｅ、Ｇ、Ｉ、Ｊの四角形を削除する（図３ｂ）。
（３）残ったＢ、Ｃ、Ｆ、Ｈ、Ｋの四角形を着色して射出成型機のイメージの図案を完成させる（図３ｃ）。図３（ｃ）では全ての四角形に着色してあるが、その一部にのみ着色することも、それら四角形に異なる色や同じ色を着色したり、二色以上の組み合わせにしたりすることもできる。
【００１６】
（文字作成参考例３）
文字作成の第３の参考例として、アルファベットの「Ｙ」を表す図案を作成する手順を図４（ａ）〜（ｃ）に基づいて説明する。
（１）図案制作の元となる黄金矩形１内に区画線２、５、１０、及び直線１３、１６、１７を表示して、複数の四角形Ａ〜Ｋを作る（図４ａ）。
（２）図４（ａ）における複数の四角形のうち、Ｂ、Ｃ、Ｅ、Ｊ、Ｋの四角形を削除する（図４ｂ）。
（３）四角形Ｈ−Ｉ間、Ｉ−Ｆ間、Ｆ−Ｇ間の線を削除し、四角形Ｈ、Ｉ、Ｆ、Ｇを連結させ、着色してアルファベットの「Ｙ」のイメージの図案を完成させる（図４ｃ）。図４（ｃ）では全ての四角形に着色してあるが、その一部にのみ着色することも、それら四角形に異なる色や同じ色を着色したり、二色以上の組み合わせにしたりすることもできる。
【００１７】
前記各実施例はあくまで一例に過ぎず、本発明の文字類作成方法を用いて作成される文字類はそれらに限定されるものではない。図２（ｄ）では図２（ｃ）のように表示した直線１３の下部を図２（ｄ）のように削除したが、このように、最終的に削除される直線１３は表示しないでおくこともできる。
【００１８】
前記実施例では、区画線５、１０を隣接する正方形３、６内まで延長して表示したが、これら区画線は隣接する正方形や黄金矩形内へ延長させることも延長させないようにすることもできる。また、区画線を、区画する黄金矩形の途中まで表示するようにすることもできる。
【００１９】
黄金矩形内に表示するのは、黄金矩形内を正方形と黄金矩形に区画するための区画線だけではなく、黄金矩形以外の形状に区画するための直線や曲線を表示して、黄金矩形と正方形の輪郭線や区画線だけでは表現できない文字や図案デザインを作成することもできる（図２ａ〜ｃ参照。）。
【００２０】
前記方法で作成される文字類において、区画線によって区画されて表示された黄金矩形や正方形、その他直線や曲線等で表示された各種図形の全部によって又は一部を削除することによって文字類を作成することもできる。この場合、図３（ｃ）のように、区画線や輪郭線、各種直線や曲線を省略し、黄金矩形や正方形等の各種図形部分を着色することもできる。
【００２１】
（文字類作成用紙の実施形態）
本発明の文字類作成用紙の実施形態を図５（ａ）〜（ｉ）、図６に基づいて説明する。この文字類作成用紙は、図５（ｉ）、図６に示すような描線パターン２０が紙製、樹脂製といった用紙（図示しない）に多数表示され、夫々の描線パターン２０の線をなぞって直線、曲線、図形等を表示して文字類（図６中太線部分）を作成可能とされたものである。
【００２２】
前記描線パターン２０は、図５（ａ）〜（ｉ）に示すように、次のような手順で作成される。なお、説明の都合上、図中の正方形部分には真円を破線で表示して正方形を判別し易くしてあるが、この真円は実際には表示しないものとする。
（１）用紙上に、描線パターン２０制作の元となる黄金矩形２１を表示する（図５ａ）。
（２）黄金矩形の輪郭線２１内を、その一方側の短辺（図５ｂの左短辺）２１ａを一辺とする正方形２２ａと、縦横比が黄金比となる黄金矩形２２ｂとに区画する区画線３０ａを表示する（図５ｂ）。
（３）同様に、黄金矩形の輪郭線２１内を、その他方側の短辺（図５ｃの右短辺）２１ｂを一辺とする正方形４０と、縦横比が黄金比である黄金矩形２２ｃとに区画する区画線３０ｂを表示する（図５ｃ）。
（４）前記区画線３０ａ、３０ｂで区画されて作られた前記二つの黄金矩形２２ｂ、２２ｃ内に、その黄金矩形２２ｂ、２２ｃの一方側の短辺（図５ｄの下短辺）２１ｃ、２１ｄを一辺とする正方形２２ｄ、２２ｅと、縦横比が黄金比である黄金矩形２３ｆ、２３ｇとに区画する区画線３１ａ、３１ｂを表示する（図５ｄ）。
（５）前記正方形２２ｄ、２２ｅ内の夫々に、前記黄金矩形２３ｆ、２３ｇの外側の長辺（図５ｅの上短辺）２１ｅ、２１ｆを一辺とする正方形５０ｂ、５０ｃと、縦横比が黄金比である黄金矩形２３ｈ、２３ｉとに区画する区画線３１ｃ、３１ｄを表示する（図５ｅ）。
（６）前記区画線３１ａと３１ｂ、３１ｃと３１ｄを隣接する四角形４０内を横切って互いに連結する連結線３３ａ、３３ｂを表示する（図５ｆ）。
（７）前記区画線３１ａ〜３１ｄで区画して作られた四つの黄金矩形２３ｆ〜２３ｉ内の夫々に、それら黄金矩形２３ｆ〜２３ｉの一方側の短辺（図５ｇの外側短辺）２１ｇ、２１ｈ、２１ｉ、２１ｊの夫々を一辺とする正方形６０ａ〜６０ｄと、縦横比が黄金比である黄金矩形２４ａ〜２４ｄとに区画する区画線３２ａ〜３２ｄを表示する（図５ｇ）。
（８）前記黄金矩形２３ｆ〜２３ｉ内の夫々に、それら黄金矩形２３ｆ〜２３ｉの他方側の短辺（図５ｈの内側短辺）２１ｋ、２１ｍ、２１ｎ、２１ｐの夫々を一辺とする正方形７０ａ〜７０ｄと、縦横比が黄金比である黄金矩形２４ｅ〜２４ｈとに区画する区画線３２ｅ〜３２ｈを表示する（図５ｈ）。
（９）前記対向する区画線３２ａと３２ｃの間を互いに連結する連結線３４ａ、前記対向する区画線３２ｅと３２ｇの間を互いに連結する連結線３４ｂ、前記対向する区画線３２ｂと３２ｄの間を互いに連結する連結線３４ｃ、前記対向する区画線３２ｆと３２ｈの間を互いに連結する連結線３４ｄを表示して、黄金矩形の輪郭線２１及び輪郭線２１内の区画線３０ａ、３０ｂ、３１ａ〜３１ｄ、３２ａ〜３２ｈ及び連結線３３ａ、３３ｂ、３４ａ〜３４ｄによる描線パターン２０を完成させる。
【００２３】
上記手順によって用紙上に一又は二以上表示された描線パターン２０に基づいて直線、曲線、図形等を表示することによって、図６に示すように、アルファベット、カタカナ、数字、漢字等の各種文字類（図６中太線部分）を作成することができる。描線パターン２０に基づく直線、曲線、図形等の表示は、同図に示すように、黄金矩形の輪郭線２１内の前記区画線３０ａ、３０ｂ、３１ａ〜３１ｄ、３２ａ〜３２ｈ、連結線３３ａ、３３ｂ、３４ａ〜３４ｄの一部又は全部をなぞったり、各区画線３０〜３２及び連結線３３ａ、３３ｂ、３４ａ〜３４ｄによって黄金矩形２１内に形成された多数の四角形の角同士を直線又は曲線で結んだりする等して行うことができる。
【００２４】
本発明の文字類作成用紙に使用する用紙は、前記材質以外のもの、例えば木板、金属板、ゴム板等の板材や、樹脂シート、樹脂フィルム等のシート材といった、描線パターン２０を表示できる任意の素材製とすることができる。用紙の形態も特に問わず、例えば一枚ずつバラの用紙、多数枚の用紙がノート状に綴成されたもの、肉厚の台紙状のもの、その他の形態であってもよい。
【００２５】
用紙に表示される描線パターン２０における、黄金矩形の区画回数、区画線や連結線の位置、長さ、本数等は、図５（ａ）〜（ｉ）、図６に示すものには限られず、任意とすることができる。また、区画線や連結線のパターンも、図５、図６に示す実線には限られず、破線や一点鎖線とすることもできる。また、一枚の用紙に表示される描線パターン２０の数も一以上の任意数とすることができ、寸法も用途別に各種用意することができる。
【図面の簡単な説明】
【００２６】
【図１】（ａ）〜（ｆ）は、本発明の文字類作成方法を用いて文字類を作成する一例の手順を示す平面説明図。
【図２】（ａ）〜（ｅ）は、前記図１（ａ）〜（ｆ）に示す手順の続きの手順を示す平面説明図。
【図３】（ａ）〜（ｃ）は、本発明の文字類作成方法を用いて文字類を作成する他の一例の手順を示す平面説明図。
【図４】（ａ）〜（ｃ）は、本発明の文字類作成方法を用いて文字類を作成する他の一例の手順を示す平面説明図。
【図５】（ａ）〜（ｉ）は、本発明の文字類作成用紙における描線パターンの作成手順を示す平面説明図。
【図６】本発明の文字類作成用紙上に文字類を作成した様子を示す平面説明図。
【符号の説明】
【００２７】
１  黄金矩形
２  区画線
３  正方形
４  黄金矩形
５  区画線
６  正方形
７  黄金矩形
８  四角形（上側）
９  四角形（下側）
１０  区画線
１１  正方形
１２  黄金矩形
１３  直線
１４  正方形
１５  黄金矩形
１６  直線
１７  直線
１８  輪郭線
２０  描線パターン
２１  黄金矩形の輪郭線
２１ａ、２１ｂ  輪郭線短辺
２１ｃ〜２１ｂ  輪郭線短辺
２２ａ  第１の正方形
２２ｂ  第１の黄金矩形
２２ｃ  第２の黄金矩形
２２ｄ、２２ｅ  第３の正方形
２３ｆ、２３ｇ  第３の黄金矩形
２３ｈ、２３ｉ  第４の黄金矩形
２４ａ〜２４ｈ  第５の黄金矩形
３０ａ  第１区画線
３０ｂ  第２区画線
３１ａ、３１ｂ  第３区画線
３１ｃ、３１ｄ  第４区画線
３２ａ〜３２ｄ  区画線
３３ａ、３３ｂ、３４ａ〜３４ｄ  連結線
４０  空間
【図１】
0004664963.tif 000002
【図２】
0004664963.tif 000003
【図３】
0004664963.tif 000004
【図４】
0004664963.tif 000005
【図５】
0004664963.tif 000006
【図６】
0004664963.tif 000007